(57)【特許請求の範囲】
【請求項１】
撮像装置の撮影モードを、撮影した複数の画像を重ね合わせて合成画像を生成するための多重露出撮影モードに設定する設定手段と、
前記多重露出撮影モードにおいて、所定の条件を満たしたことに応じて、前記多重露出撮影モードを自動的に終了するように制御する制御手段と、
撮影して得られた画像を表示するか否かの設定に関わらず、前記多重露出撮影モードにおいて前記所定の条件を満たした場合、前記制御手段の制御によって前記多重露出撮影モードが自動的に終了する前に、前記多重露出撮影モードで撮影して得られた画像を表示手段に表示するように制御する表示制御手段と、
を有することを特徴とする撮像装置。
【請求項２】
画像の撮影後に、撮影して得られた画像を前記表示手段に表示するか否かを設定する表示設定手段をさらに有し、
前記表示制御手段は、撮影して得られた画像を表示すると前記表示設定手段により設定されている場合は、画像の撮影後に、当該撮影により得られた画像を前記表示手段に自動的に表示するように制御することを特徴とする請求項１に記載の撮像装置。
【請求項３】
撮影して得られた画像を表示すると前記表示設定手段により設定されている場合、前記表示制御手段は、前記多重露出撮影モードにおいては、画像の撮影後に、当該撮影により得られた画像と既に撮影して得られた画像とを合成した合成画像を、前記表示手段に自動的に表示するように制御することを特徴とする請求項２に記載の撮像装置。
【請求項４】
前記多重露出撮影モードにおいて、画像の撮影後に、当該撮影により得られた画像と既に撮影して得られた画像とを合成した合成画像を前記表示手段に表示しているときに、所定の操作を行うことにより、前記撮影により得られた画像を取り消して、前記既に撮影して得られた画像と合成する画像の再撮影をおこなうように制御する再撮影手段をさらに有することを特徴とする請求項３に記載の撮像装置。
【請求項５】
前記表示制御手段は、画像の撮影後に、当該撮影により得られた画像と既に撮影して得られた画像とを合成した合成画像が前記表示手段に表示された後に、ユーザによる操作に基づいて、当該撮影により得られた画像が合成されていない画像を前記表示手段に表示するように制御することを特徴とする請求項３または４に記載の撮像装置。
【請求項６】
前記表示制御手段は、前記多重露出撮影モードにおいて前記所定の条件を満たしていない場合は、撮影して得られた画像を表示しないと前記表示設定手段により設定されていれば、画像の撮影後に、当該撮影により得られた画像を前記表示手段に表示しないように制御することを特徴とする請求項２乃至４のいずれか１項に記載の撮像装置。
【請求項７】
前記所定の条件は、前記複数の画像を重ね合わせた合成画像の生成に用いる予め設定された枚数の前記複数の画像が撮影されたことであることを特徴とする請求項１乃至６のいずれか１項に記載の撮像装置。
【請求項８】
前記多重露出撮影モードにおいて予め設定された枚数まで前記複数の画像が撮影された場合に、前記制御手段の制御によって前記多重露出撮影モードが自動的に終了する前に、ユーザによる操作に基づいて、前記多重露出撮影モードで撮影して得られた画像を保存する保存手段をさらに有することを特徴とする請求項１乃至７のいずれか１項に記載の撮像装置。
【請求項９】
前記多重露出撮影モードにおいて予め設定された枚数まで前記複数の画像が撮影されたことを通知するメッセージに対する、ユーザによる入力を受け付ける入力手段をさらに有し、
前記表示制御手段は、前記所定の条件を満たした場合において、撮影して得られた画像を表示するか否かの設定に関わらず、前記メッセージを表示させ、前記ユーザによる入力を受け付けた後に、前記多重露出撮影モードで撮影して得られた画像を前記表示手段に表示するように制御することを特徴とする請求項１乃至８のいずれか１項に記載の撮像装置。
【請求項１０】
前記メッセージは、文言、アイコン、ＬＥＤの点灯の少なくともいずれかを含むことを特徴とする請求項９に記載の撮像装置。
【請求項１１】
設定手段が、撮像装置の撮影モードを、撮影した複数の画像を重ね合わせて合成画像を生成するための多重露出撮影モードに設定する設定工程と、
制御手段が、前記多重露出撮影モードにおいて、所定の条件を満たしたことに応じて、前記多重露出撮影モードを自動的に終了するように制御する制御工程と、
表示制御手段が、撮影して得られた画像を表示するか否かの設定に関わらず、前記多重露出撮影モードにおいて前記所定の条件を満たした場合、前記制御手段の制御によって前記多重露出撮影モードが自動的に終了する前に、前記多重露出撮影モードで撮影して得られた画像を表示手段に表示するように制御する表示制御工程と、
を有することを特徴とする撮像装置の制御方法。
【請求項１２】
コンピュータを、請求項１乃至１０のいずれか１項に記載の撮像装置の各手段として機能させるためのプログラム。
【発明の詳細な説明】
【技術分野】
【０００１】
本発明は、撮像装置およびその制御方法ならびにプログラムに関し、特に多重露出撮影技術に関する。
【背景技術】
【０００２】
従来、複数のデジタル画像信号を加算処理することにより、多重露出撮影を行う技術がある。特許文献１には、予め定めた回数撮影を行い、得られた画像を合成して多重露出画像を得る多重露出撮影モードを有する撮像装置が記載されている。このような撮像装置では、多重露出撮影モードで予め定めた回数の撮影が完了すると、多重露出撮影モードを自動的に終了するように構成されている。より具体的には、この撮像装置は、多重露出撮影モードにおいて、予定枚数の画像を取得すると、これらの画像を合成して多重露出画像を生成ならびに記録し、多重露出撮影モードを自動的に終了させる。
【先行技術文献】
【特許文献】
【０００３】
【特許文献１】特開２０１２−２３５２２８号公報
【発明の概要】
【発明が解決しようとする課題】
【０００４】
しかしながら、特許文献１に開示された技術では、多重露出撮影モードで予定枚数の画像を取得すると多重露出撮影モードが自動的に解除されるため、生成された多重露出画像を確認することができなくなるという課題があった。また、多重露出撮影モードにおいて撮影のやり直し機能を有する場合には、多重露出撮影モードが自動的に解除されると、撮影のやり直し機能を利用できなくなるという課題も生じる。
【０００５】
本発明は、上記課題に鑑みてなされ、その目的は、多重露出撮影モードが自動的に解除される場合であっても、ユーザが多重露出撮影の結果得られる画像を確認、または多重露出撮影モードで撮影のやり直しが可能な撮像装置およびその制御方法の提供である。
【課題を解決するための手段】
【０００６】
この課題を解決するため、例えば本発明の撮像装置は以下の構成を備える。すなわち、撮像装置の撮影モードを、撮影した複数の画像を重ね合わせて合成画像を生成するための多重露出撮影モードに設定する設定手段と、多重露出撮影モードにおいて、所定の条件を満たしたことに応じて、多重露出撮影モードを自動的に終了するように制御する制御手段と、撮影して得られた画像を表示するか否かの設定に関わらず、多重露出撮影モードにおいて所定の条件を満たした場合、制御手段の制御によって多重露出撮影モードが自動的に終了する前に、多重露出撮影モードで撮影して得られた画像を表示手段に表示するように制御する表示制御手段と、を有することを特徴とする。
【発明の効果】
【０００７】
本発明によれば、多重露出撮影モードが自動的に解除される場合であっても、ユーザが多重露出撮影の結果得られる画像を確認、または多重露出撮影モードで撮影のやり直しが可能となる。
【図面の簡単な説明】
【０００８】
【図１】本発明の実施形態に係る撮像装置の一例としてのデジタルカメラの機能構成例を示すブロック図
【図２】本実施形態に係る表示部における多重露出撮影機能の設定画面例を示す図
【図３】通常撮影におけるクイックレビュー表示の一連の動作を示すフローチャート
【図４】実施形態１に係る多重露出撮影機能におけるクイックレビュー表示の一連の動作を示すフローチャート
【図５】多重露出撮影処理の一連の動作を示すフローチャート
【図６】多重露出撮影処理においてバッファメモリに格納される画像データを模式的に示す図
【図７】クイックレビュー表示の一連の動作を示すフローチャートとクイックレビュー表示の表示例を示す図
【図８】クイックレビュー表示におけるユーザ選択画面の表示例を示す図
【図９】「１枚戻る」処理の一連の動作を示すフローチャート
【図１０】「保存して終了」処理の一連の動作を示すフローチャート
【図１１】「保存しないで終了」処理の一連の動作を示すフローチャート
【図１２】実施形態２に係る多重露出撮影機能におけるクイックレビュー表示の一連の動作を示すフローチャート
【発明を実施するための形態】
【０００９】
（実施形態１）
以下、本発明の例示的な実施形態について、図面を参照して詳細に説明する。なお、以下では撮像装置の一例として、多重露出撮影の可能な任意のデジタルカメラに本発明を適用した例を説明する。しかし、本発明は、デジタルカメラに限らず、多重露出撮影の可能な任意の電子機器にも適用可能である。これらの電子機器には、例えば携帯電話機、ゲーム機、タブレット端末、パーソナルコンピュータ、眼鏡型端末などが含まれてよい。
【００１０】
（１  デジタルカメラ１００の構成）
図１は、本実施形態の撮像装置の一例としてデジタルカメラ１００の機能構成例を示すブロック図である。なお、図１に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。従って、以下の説明において、異なる機能ブロックが動作主体として記載されている場合であっても、同じハードウェアが主体として実現されうる。
【００１１】
撮影光学系１０１は、レンズ群から構成されフォーカスレンズやズームレンズを含むものである。ＡＦ（オートフォーカス）駆動部１０２は、撮影光学系１０１のフォーカスレンズを駆動する。ＡＦ駆動部１０２は、例えばＤＣモータやステッピングモータによって構成され、制御部１２３の制御によって撮影光学系１０１のフォーカスレンズ位置を制御させることによりピントを合わせる。
【００１２】
絞り１０３は、撮像センサ１１２に入射する光量を調節する絞りであり、絞り駆動部１０４は絞り１０３を駆動する制御回路である。制御部１２３の指示に応じて露出制御値を算出し、算出結果に基づいて絞り１０３を駆動して光学的な絞り値を変化させる。
【００１３】
主ミラー１０５は、撮影光学系１０１から入射した光束をファインダ側と撮像センサ側とに切替えるためのミラーである。主ミラー１０５は通常はファインダ部１０８へと光束を導くよう配置されるが、撮影が行われる場合やライブビュー表示の場合には、撮像センサ１１２へと光束を導くように上方に跳ね上がり光束を反射しない位置に待避される。また主ミラー１０５は、その中央部が光の一部を透過するようにハーフミラーとなっており、光束の一部を透過して焦点検出を行うためのセンサに入射させる。
【００１４】
サブミラー１０６は、主ミラー１０５から透過した光束を反射させ、焦点検出を行うためのセンサ（焦点検出部１０９内に配置されている）に光束を導く。ミラー駆動部１０７は、制御部１２３の制御により主ミラー１０５の位置を制御する。ファインダ部１０８はファインダを構成するペンタプリズムである。ファインダはピント板、アイピースレンズ（不図示）などによって構成させる。
【００１５】
焦点検出部１０９は、入射する光信号を内部のセンサにより光電変換してフォーカス演算に用いるデフォーカス量を出力する。主ミラー１０５の中央部を透過し、サブミラー１０６で反射された光束は、焦点検出部１０９の内部に配置されたセンサに導かれる。制御部１２３は焦点検出部１０９の出力を評価してＡＦ駆動部１０２を制御してフォーカスレンズを駆動させる。
【００１６】
シャッタ１１０は、フォーカルプレーンシャッタであり、シャッタ駆動部１１１により駆動される。シャッタの開口時間は制御部１２３の指示により設定され、シャッタ駆動部１１１は設定に応じてシャッタを駆動する。
【００１７】
撮像センサ１１２は、撮影光学系１０１によって結像された被写体の光学像を電気信号に変換するＣＣＤやＣＭＯＳセンサ等で構成される。ＡＤ変換部１１５は、撮像センサ１１２により出力されたアナログ信号をデジタル信号に変換して、画像信号を映像信号処理部１１６に出力する。
【００１８】
映像信号処理部１１６は、ゲートアレイなどのロジックデバイスにより実現され、入力された画像信号に、フィルター処理、色変換処理等の現像処理を施した現像データを出力すると共に、ＪＰＥＧ等の圧縮処理を行ってメモリコントローラ１１９に出力する。また、必要に応じて入力された画像信号の露出情報やホワイトバランスなどの情報を制御部１２３に出力すると、制御部１２３は入力された情報に基づいてホワイトバランスやゲイン調整の指示を行う。さらに、映像信号処理部１１６は、バッファメモリ１２２上の２つ以上の現像データの加算や、現像データから階調を高ビット化した高精度データの生成、またその両方の処理を同時に実行し、結果をバッファメモリ１２２に書き戻すことが可能である。多重露出撮影における連像撮影枚数は、バッファメモリ１２２の容量の大きさに左右される。そのほか、映像信号処理部１１６は、撮像センサ１１２からの入力された画像信号や、メモリコントローラ１１９から入力された現像データや圧縮データ等の画像データを、制御部１２３の指示に応じて表示駆動部１１７を通して表示部１１８に出力する。
【００１９】
表示駆動部１１７は、表示部１１８の表示を制御する駆動回路であり、制御部１２３の表示内容に対する指示に従って表示部１１８に画像データや文字等の情報を表示させる。
【００２０】
表示部１１８は、ＴＦＴ型ＬＣＤや有機ＥＬ等で構成され、ファインダ内の表示およびカメラ本体に取り付けられた表示部を含み、撮影された画像データとともに撮影情報などを表示する。表示部１１８は多重露出撮影により撮影された画像データを表示する。
【００２１】
メモリコントローラ１１９は、メモリ１２０、外部インターフェイス１２１およびバッファメモリ１２２に対するデータの書き込みや読み出しのタイミングを制御する。映像信号処理部１１６から現像データや圧縮データ等の画像データが入力されるとバッファメモリに格納するほか、撮影された画像データを必要に応じてメモリ１２０に格納する。制御部１２３はメモリコントローラ１１９から得たメモリ１２０の容量と設定から予測される画像データのサイズをもとに、撮影前に撮影可能残数を演算することができ、必要に応じて表示部１１８に表示する。
【００２２】
メモリ１２０は、ＥＥＰＲＯＭなどの半導体メモリ等で構成される不揮発性メモリであり、撮影された画像データを記憶する。メモリ１２０はメモリカードのように取り外し可能な記録媒体であってもよい。
【００２３】
外部インターフェイス１２１は、デジタルカメラ１００と外部のコンピュータ等とを接続し、画像等のデータの交換を可能にするインターフェイスである。バッファメモリ１２２は、メモリ１２０や外部インターフェイス１２１にデータを書き込む際に一時的にデータを記録するために用いられる。
【００２４】
制御部１２３は、例えばＣＰＵあるいはＭＰＵであり、ＲＯＭに格納されたプログラムを記憶部１３０の作業エリアに展開し、実行することにより、デジタルカメラ１００全体を制御する制御部である。例えば制御部１２３は、本実施形態に係る多重露出撮影機能を実現するための各部の制御やクイックレビュー表示に関する表示制御を実行する。
【００２５】
記憶部１３０は、制御部１２３のデータを一時記憶する揮発性の記憶媒体である。制御部１２３の動作用の定数、変数、ＲＯＭから読み出したプログラム等を展開する。
【００２６】
操作部１２４は、スイッチやボタン、タッチパネルなどからなり、ユーザによる操作指示を検出して制御部１２３に通知する。操作部１２４を構成するスイッチやボタンには、スイッチＳＷ１  １２５およびスイッチＳＷ２  １２６のほか、メニューボタン、移動ボタン、撮影モードダイヤル、等のボタンやスイッチがありそれぞれの状態が検出される。制御部１２３はその操作指示の通知に応じて各機能部を制御部する。なお、本実施形態に係る多重露出撮影機能に関する設定は、タッチパネルに表示されるメニュー表示に対する操作により設定され、この設定に基づいて例えば通常撮影と多重露出撮影の切替が行われる。
【００２７】
スイッチＳＷ１  １２５およびスイッチＳＷ２  １２６は、レリーズボタンの操作でオンオフするスイッチである。スイッチＳＷ１  １２５のみオンの状態はレリーズボタン半押し状態に対応し、この状態の場合が検出された場合、制御部１２３はオートフォーカスの動作を行う制御や測光動作を行う制御を実行する。スイッチＳＷ１  １２５、ＳＷ２  １２６が共にオンの状態はレリーズボタンの全押し状態であり、制御部１２３は撮影により得られる画像データを記録するための制御を実行する。
【００２８】
（多重露出撮影機能に係る設定項目）
次に、多重露出撮影機能に係る設定項目を設定する方法について、図２を参照して説明する。
【００２９】
図２は多重露出撮影機能に係るカメラの設定を変更するメニュー画面の表示例であり、操作部１２４中のメニューボタンの操作によって、表示部１１８に表示される。このメニュー画面では、操作部１２４の移動ボタンの操作によって、メニュー項目であるＧ２０１〜Ｇ２０５の選択を行い、セットボタンによりいずれかのメニュー項目が選択された状態に遷移する。さらに移動ボタンによって各メニュー項目において設定可能な内容（項目内容）を選択した後、再度セットボタンを操作することで各メニュー項目に対する設定を確定する。
【００３０】
Ｇ２０１は、多重露出撮影機能の状態を選択するためのメニュー項目であり、「する」・「しない」の２つの項目内容が選択できる。項目内容が「する」に設定されると、撮影モードが多重露出撮影モードに設定され、デジタルカメラ１００は以後の撮影において多重露出撮影を行う「多重露出撮影開始」の状態に設定される。「多重露出撮影開始」状態において最初の１枚目の撮影を行うと、「多重露出撮影中」状態に遷移する。多重露出撮影中状態において、項目Ｇ２０１を「しない」に設定すると、その時点で多重露出撮影機能を終了し、「通常撮影」の状態（通常撮影モード）となる。通常撮影に状態変化する際に、合成画像が生成可能であれば当該画像が生成される。
【００３１】
Ｇ２０２は、多重露出撮影において画像を重ねる枚数を選択するためのメニュー項目であり、「２」から「９」までの画像枚数が設定できる。Ｇ２０４において設定されるベース画像が選択されていない場合、設定した画像枚数が、多重露出撮影において撮影される予定枚数となる。ベース画像を選択した場合は、予定枚数が設定した画像枚数から１枚減った値に設定される。なお、項目Ｇ２０２は、「多重露出撮影中」の状態では選択して変更することができない。撮影により項目Ｇ２０２で設定した枚数の画像に達すると、カメラは多重露出撮影を終了して「通常撮影状態」となり、合成画像を生成する。
【００３２】
Ｇ２０３は、多重露出撮影における自動露出調整機能の実行状態を選択するためのメニュー項目であり、「する」・「しない」の２つの項目内容が選択できる。なお項目Ｇ２０３は「多重露出撮影中」状態では、選択して変更することができない。また、多重露出撮影が終了すると、「しない」に設定される。
【００３３】
Ｇ２０４は、多重露出撮影によって撮影された画像を重ねるための、予め撮影された画像（ベース画像）を選択するためのメニュー項目であり、メモリ１２０に記憶されている撮影画像から１つの画像を選択する。なお、項目Ｇ２０４は「多重露出撮影開始」状態でなければ選択することができない。本項目によりベース画像を選択すると、多重露出撮影によって撮影される画像のサイズがベース画像の画像サイズと同じ値に設定される。本項目は、多重露出撮影が終了するとベース画像が選択されていない状態になる。映像信号処理部１１６は、ベース画像が選択されると、ベース画像をメモリ１２０から読み出して各種処理を施し、バッファメモリ１２２上に現像データとして変換された形で配置する。
【００３４】
Ｇ２０５は、選択されたベース画像を解除するための「画像選択解除」ボタンであり、選択するとただちにベース画像が選択されていない状態になる。
【００３５】
（通常撮影に係る一連の動作）
次に、通常撮影に係る一連の動作を図３のフローチャートを参照して説明する。ここでは、通常撮影のクイックレビュー表示に関する説明を行う。クイックレビュー表示は、本実施形態では、撮影した画像や多重露出撮影に係る合成画像を表示部１１８に表示する機能であるが、通常撮影状態と多重露出撮影機能とで用いるクイックレビュー表示機能は異なる。多重露出撮影機能に用いるクイックレビュー表示の詳細は図７等を参照して後述する。なお、デジタルカメラ１００の多重露出撮影が「しない」に設定された状態で、レリーズボタンが半押しの状態、即ちスイッチＳＷ１  １２５のみオンの状態となったことが制御部１２３に通知された場合に本処理が開始される。また、制御部１２３がＲＯＭに格納されたプログラムを記憶部１３０の作業エリアに展開し、実行することにより実現される。
【００３６】
Ｓ３００において制御部１２３は、通常撮影を開始すると、Ｓ３０１において、ＳＷ２がオンか否かを判定する。ＳＷ２がオンであれば処理をＳ３０２に処理を進め、オンでなければ処理をＳ３０１に戻してＳＷ２がオンか否かの判定に戻る。Ｓ３０２において制御部１２３は、被写体の撮影を行って撮影が終了すると処理をＳ３０３に進める。
【００３７】
Ｓ３０３において映像信号処理部１１６は、撮像センサ１１２から入力した画像信号に現像処理を行い、現像処理が終了すると処理をＳ３０４に進める。
【００３８】
Ｓ３０４において制御部１２３は、以下で説明する記憶部１３０に記憶された表示設定の設定値を読み出す等によりクイックレビュー表示が可能な状態かを判定し、クイックレビュー表示が可能な場合は処理をＳ３０５に進める。一方、表示が可能でないと判定した場合はクイックレビュー表示を行わずに通常撮影に係る一連の処理を終了する。クイックレビュー表示が可能かどうかの判定には「クイックレビューの前に操作部１２４のいずれかが操作された」「メニュー設定でクイックレビューを表示しない設定にされている」などがある。操作部１２４には撮影準備操作のＳＷ１、撮影動作のトリガーとなるＳＷ２も含まれる。
【００３９】
Ｓ３０５において制御部１２３は、クイックレビュー表示を実行して、現像した画像データを表示させる。
【００４０】
Ｓ３０６において制御部１２３は、クイックレビュー終了指示が通知されたかを判定する。制御部１２３は、終了指示の通知があったと判定したときは、通常撮影に係る一連の処理を終了し、終了指示の通知が無かったと判定したときは、処理をＳ３０６に戻してクイックレビュー表示を継続させる。クイックレビュー終了指示は「操作部１２４のうちの所定の操作部が操作された」「メニュー設定で設定したクイックレビュー表示時間が経過した」等のいずれかの条件が満たされた場合に通知される。
【００４１】
通常撮影では、撮影後にクイックレビューを表示する場合と表示しない場合がある。また、クイックレビュー表示の前後においていつでも操作部１２４に対する操作指示を受け付けるので、次の撮影動作が禁止されることはない。
【００４２】
（多重露出撮影機能に係る一連の動作）
次に、多重露出撮影機能における一連の動作を図４のフローチャートを参照して説明する。なお、デジタルカメラ１００の多重露出撮影が「する」に設定されて「多重露出撮影開始」となった状態で、レリーズボタンが半押しの状態、即ちスイッチＳＷ１  １２５のみオンの状態となったことが制御部１２３に通知された場合に本処理が開始される。また、制御部１２３がＲＯＭに格納されたプログラムを記憶部１３０の作業エリアに展開し、実行することにより実現される。
【００４３】
Ｓ４０１において制御部１２３は、ＳＷ２がオンか否かを判定し、ＳＷ２がオンであればＳ４０２に処理を進めて多重露出撮影処理を行い、ＳＷ２がオンでなければ、再度Ｓ４０１においてＳＷ２がオンか否かの判定に戻る。
【００４４】
Ｓ４０３において制御部１２３は、１枚目の撮影に対して多重露出撮影処理が行われると、状態を「多重露出撮影中」状態へ変更し、Ｓ４０４において、多重露出撮影の完了枚数と、多重露出撮影の予定枚数が同じかどうか判定する。多重露出撮影の予定枚数とは、上述した図２における項目Ｇ２０２で設定した予定枚数である。予定枚数が同じでないと判定した場合、即ちまだ多重露出撮影の途中であると判定した場合、Ｓ４０５に処理を進める。そして、多重露出撮影の完了枚数と、多重露出撮影の予定枚数とが同じであり、多重露出撮影が完了したと判定した場合は、多重露出撮影機能を終了させるための識別子を有効にしてメモリ１２０に記憶させ、Ｓ４０８に処理を進める。
【００４５】
Ｓ４０５において制御部１２３は、クイックレビュー表示ができるかどうかを判定する。本ステップではＳ３０４の処理と同様に、記憶部１３０に記憶された表示設定の設定値を読み出す等によりクイックレビュー表示が可能な状態かを判定する。即ち、ユーザの操作により「メニュー設定でクイックレビューを表示しない設定にされている」場合には、クイックレビュー表示ができないと判定する。そして、「メニュー設定でクイックレビューを表示する設定にされている」場合には、クイックレビュー表示ができると判定する。制御部１２３は、クイックレビューを表示できる場合はＳ４０６に処理を進め、表示できない場合はＳ４０１に処理を戻して新たな撮影が行われるのを待つ。
【００４６】
Ｓ４０６において制御部１２３は、多重露出撮影機能に用いるクイックレビュー表示を行う。クイックレビュー表示の詳細は図７のフローチャートを用いて後述するが、ユーザはクイックレビュー表示により撮影した画像の確認を行う。クイックレビュー表示の終了後、Ｓ４０７において制御部１２３は、多重露出撮影機能を終了するかを判定する。多重露出撮影機能を終了するか否かの判定は、後述するクイックレビュー表示を行った際のユーザ操作に応じて決定される。制御部１２３は、クイックレビュー表示において設定された、多重露出撮影機能を終了するための識別子が有効である場合、Ｓ４１２に処理を進め、有効でないと判定した場合は処理をＳ４０１に戻して再びＳＷ２に対する操作指示を待つ。つまり、すでに多重露出撮影の予定枚数の撮影を完了している場合、または、ライブビュー中に多重撮影終了のための操作がなされた場合に、多重露出撮影機能を終了することになる。なお、多重露出撮影の予定枚数が完了枚数に達していないときは、Ｓ４０６におけるクイックレビュー表示中および表示前であっても、操作部１２４のうちＳＷ１ならびにＳＷ２等に対する操作指示は受け付けるようにする。
【００４７】
一方、Ｓ４０８において制御部１２３は、Ｓ４０４において多重露出撮影の完了枚数が多重露出撮影の予定枚数に達していると判定された場合、次の撮影を禁止する。そして、Ｓ４０９において、予定枚数の撮影が完了して撮影禁止になっている旨をユーザに通知する。制御部１２３は、撮影動作を禁止するため、操作部１２４のうち撮影に使用するＳＷ１，ＳＷ２に対する操作指示を無効にする。本実施形態では、撮影禁止の旨をユーザに通知する方法として、表示部１１８のファインダ内の液晶表示部や本体の表示部に撮影禁止の旨を表示するが、ユーザに通知できれば方法は問わない。
【００４８】
Ｓ４１０において制御部１２３は、多重露出撮影機能に用いるクイックレビュー表示を行う。多重露出撮影の完了枚数が予定枚数に達している場合は、クイックレビュー表示可能かどうかの判定を行わずにクイックレビューの表示を行う。即ち、「メニュー設定でクイックレビューを表示しない設定にされている」場合であっても、クイックレビュー表示を行う。これは、設定値に基づいてクイックレビュー表示を行わない場合、所定枚数の撮影の終了後に多重撮影が自動解除され、最後の撮影が失敗している場合に画像の確認や撮影のやり直しを行うことができないことを防ぐためである。クイックレビュー表示に係る詳細な処理は図７のフローチャートで後述するが、クイックレビュー表示では画像の確認後、「１枚戻る」、「保存して終了」、「保存しないで終了」等を選択し、撮影を１枚戻す操作や合成画像の保存の有無を選択できる。またクイックレビュー表示の機能の一部として「１枚戻る」処理を選択できるようにしているため、クイックレビュー表示を実行することで、多重露出撮影の最後の画像（最終画像）においても再度の撮影を可能にすることができる。
【００４９】
Ｓ４１１において制御部１２３は、多重露出撮影機能を終了するかを判定する。Ｓ４０７と同様に、多重露出撮影機能を終了するか否かの判定は、後述するクイックレビュー表示を行った際のユーザ操作に応じて決定される。制御部１２３は、クイックレビュー表示において設定された、多重露出撮影機能を終了するための識別子が有効である場合、Ｓ４１２に処理を進め、有効でないと判定した場合はＳ４０１に処理を戻して再びＳＷ２に対する操作指示を待つ。ここでは、多重露出撮影の予定枚数の撮影を完了している可能性がある。このため、Ｓ４０７と異なり、すでに多重露出撮影の予定枚数の撮影を完了している場合、または、ライブビュー中に多重撮影終了のための操作がなされた場合に、多重露出撮影機能を終了することになる。また、Ｓ４１０のクイックレビュー表示処理において、後述の「１枚戻る」処理が実行された場合は、Ｓ４０４で判断した時から多重露出撮影完了枚数が１枚減っており、多重露出撮影機能の識別子は有効ではないので、再びＳ４０１に処理を戻す。制御部１２３は、再びＳ４０１に処理を戻す場合に次の撮影が禁止されているときは撮影の禁止を解除する。
【００５０】
Ｓ４１２において制御部１２３は、「通常撮影」へ状態を戻して多重露出撮影機能の一連の処理を終了する。仮にＳ４０４、Ｓ４０８〜Ｓ４１０の処理が存在しない、つまり図３で説明した通常撮影と同じ動作で制御した場合、多重露出撮影が予定枚数に達して撮影終了となったことに気づかずにＳＷ１を押してしまう可能性がある。そうすると、「１枚戻る」操作が可能なクイックレビュー表示を行うことなく多重露出撮影が終了してしまい、撮影が失敗につながるおそれがある。しかし、多重露出撮影の完了枚数が予定枚数に達した後は常に次の撮影動作を禁止し、かつクイックレビュー表示を強制的に実行することで、予定枚数の最終画像であっても、画像の確認や多重露出撮影をやり直すことが可能になる。
【００５１】
（多重露出撮影処理に係る一連の動作）
以下、多重露出撮影処理における一連の動作を図５のフローチャートおよび図６（ａ）を参照して説明する。本処理は、上述のＳ４０２が実行されると開始される。
【００５２】
多重露出撮影処理が実行されると、Ｓ５０１において制御部１２３は、絞り駆動部１０４を介して絞り１０３を制御して露光を行い、露光が完了すると、Ｓ５０２において撮像センサ１１２に対して蓄積された画像信号の読み出しを行わせる。
【００５３】
Ｓ５０３において映像信号処理部１１６は、制御部１２３の指示に応じて読み出した画像信号から現像データを生成する。ここで図６（ａ）は、多重露出撮影における３回の撮影で得られる画像信号および多重露出撮影処理によりバッファメモリに格納された画像データの様子を模式的に示している。１枚目の撮影で得られる画像信号Ａ、２枚目で得られた画像信号Ｂ、３枚目で得られた画像信号Ｃとして、それぞれの画像信号に対応する現像データＡ、現像データＢ、現像データＣが生成されている。
【００５４】
Ｓ５０４において映像信号処理部１１６は、生成した現像データを圧縮して圧縮データを生成し、Ｓ５０５において、生成された圧縮データをメモリ１２０に書き込む。映像信号処理部１１６によるメモリ１２０への書き込みが完了すると、制御部１２３は処理をＳ５０６に進める。
【００５５】
Ｓ５０６において制御部１２３は、書き込み済みファイル情報を生成する。書き込み済みファイル情報は、例えばバッファメモリ１２２とメモリ１２０へ書き込んだファイル名のリストである。
【００５６】
Ｓ５０７において映像信号処理部１１６は、多重露出撮影において前回の撮影で記録された現象データを用いて高精度データを生成する。高精度データは、前回の撮影で得られた現像データを合成するために高ビット化し、前回までに生成していた高精度データに加算した画像データである。高精度化することで、合成処理に伴って階調が飽和してしまう可能性を低減することができる。但し、高精度化以外にも合成しやすくするための他の処理を施したものとしても良い。図６（ａ）では、２枚目の撮影時に、１枚目の撮影時の現像データＡから高精度データＡをバッファメモリ１２２上に生成した様子を示している。また、３枚目の撮影時に、２枚目の撮影時に生成された現像データＢと高精度データＡを加算して、高精度データＡ＋Ｂをバッファメモリ１２２上に生成した様子を示している。なお、３回目の撮影時において、後述する２枚目の撮影時に生成された多重現像データがバッファメモリ１２２上で利用可能な場合は当該データを流用するようにしてもよい。高精度データの生成が完了すると処理をＳ５０８に進める。
【００５７】
Ｓ５０８において映像信号処理部１１６は、高精度データと今回の撮影により生成した現像データを合成して多重現像データを生成する。多重現像データは、今回生成した高精度データ（前回までに得た画像を多重したもの）に、今回の撮影で得られた現像データを加算したデータである。
【００５８】
さらにＳ５０９において、多重現像データの圧縮処理を行って、多重圧縮データを生成する。多重圧縮データは、多重現像データを表示のために縮小・圧縮したデータであり、このデータをクイックレビュー表示において表示部１１８に表示する。ここでの圧縮には高ビット化した多重現像データに対する低ビット化する処理を含んでもよい。図６（ａ）では、２枚目の撮影時ならば多重圧縮データＡ＋Ｂが、３枚目の撮影時ならば多重圧縮データＡ＋Ｂ＋Ｃがバッファメモリ１２２上に生成されている。前回の撮影時の時点では、前回撮影時の多重圧縮データは消去せず、そのまま保持した状態を維持する。つまり、３枚目の撮影時において多重圧縮データＡ＋Ｂ＋Ｃが生成された時点では、２枚目の撮影時の多重圧縮データＡ＋Ｂがバッファメモリ１２２上に保持されている。但し、前回撮影時の多重圧縮データを削除せずに蓄積することで、複数枚の画像を遡った多重露出撮影を行えるようにしてもよい。
【００５９】
Ｓ５１０において制御部１２３は、多重撮影の完了枚数に１を増やして多重露出撮影処理の一連の処理を完了して、処理を呼び出し元のＳ４０２に戻す。
【００６０】
（クイックレビュー表示機能に係る一連の動作）
次に、多重露出撮影機能に用いるクイックレビュー表示機能についての一連の動作を、図７（ａ）のフローチャートを参照して説明する。本処理は、図４において説明した多重露出撮影機能においてクイックレビュー表示の指示があった場合（Ｓ４０６またはＳ４１０）に処理を開始する。なお、クイックレビュー表示の表示例を図７（ｂ）に示す。図７（ｂ）では、表示部１１８に多重圧縮データを表示することを想定しているが、直近の画像信号より得られた多重していない撮影画像を表示してもよい。また、多重圧縮データと多重していない撮影画像とを選択して切り替えて表示する処理を加えてもよい。
【００６１】
Ｓ７０１において制御部１２３は、操作部１２４の状態を確認して、次の撮影への指示があるかを判定する。次の撮影への指示があったと判定した場合、クイックレビュー表示機能に係る一連の処理を終了する。次の指示がないと判定した場合、処理をＳ７０２に進める。なお、多重露出撮影の完了枚数と多重露出撮影の予定枚数が同一となり（即ち図４におけるＳ４０４においてＹｅｓの場合）、Ｓ４０８において撮影が禁止されている場合、制御部１２３は処理をＳ７０２に進める。
【００６２】
Ｓ７０２において制御部１２３は、ユーザ選択画面を表示部１１８に表示するように映像信号処理部１１６に指示する。ユーザ選択画面の表示例を図８（ａ）、（ｂ）、（ｃ）、（ｄ）に示す。ユーザ選択画面では「前の画面に戻る」（Ｇ８０１）、「１枚戻る」（Ｇ８０２）、「保存して終了」（Ｇ８０３）、「保存しないで終了」（Ｇ８０４）の項目が選択可能である。項目Ｇ８０１は、ユーザ選択画面を終了し、ユーザ選択画面の前の画面に戻り、多重露出撮影の継続を指示する選択項目である。項目Ｇ８０２は、直近の撮影画像を破棄し、前回までの多重露出撮影から多重露出撮影やりなおしを指示する選択項目である。項目Ｇ８０３は、現在の多重露出撮影結果を保存して、多重露出撮影機能を終了し、「通常撮影」の状態に戻ることを指示する選択項目である。項目Ｇ８０４は、多重露出撮影結果をすべて破棄して、多重露出撮影機能を終了し、「通常撮影」の状態に戻ることを指示する選択項目である。なお、ユーザ選択画面において、ユーザ操作により選択された項目ごとに図８（ａ）〜（ｄ）の表示が切り替わり、項目が確定されると制御部１２３は対応する処理を実行する。
【００６３】
Ｓ７０３において制御部１２３は、操作部１２４の状態から、「前の画面に戻る」が選択されているかを判定する。「前の画面に戻る」が選択されている場合、Ｓ７０４に処理を進め、当該項目が選択されていない場合、Ｓ７０７に処理を進める。
【００６４】
Ｓ７０４において制御部１２３は、映像信号処理部１１６に対して、バッファメモリ１２２上の多重圧縮データを読み出して表示部１１８に表示させる。このときの表示部１１８には図８（ａ）で示した表示例が表示される。
【００６５】
Ｓ７０５において制御部１２３は、操作部１２４における操作により「前の画面に戻る」が確定された場合、Ｓ７０６において映像信号処理部１１６は、制御部１２３の指示によりユーザ選択画面を非表示にする。制御部１２３は非表示にする処理が完了すると再びＳ７０１に処理を戻して次の撮影への指示があるかを再度判定する。このときの表示部１１８は、クイックレビュー表示の開始時点と同じく、図８（ａ）のように表示される。一方、Ｓ７０５において、操作部１２４における操作が「前の画面に戻る」を確定するものでない場合、Ｓ７０７に処理を進める。
【００６６】
Ｓ７０７において制御部１２３は、操作部１２４の状態から「１枚戻る」が選択されているかを判定する。「１枚戻る」が選択されている場合、Ｓ７０８において映像信号処理部１１６は、制御部１２３の指示によりバッファメモリ１２２上の前回撮影時の多重圧縮データを読み出して表示部１１８に表示する。このときの表示部１１８の表示例が図８（ｂ）である。一方、Ｓ７０７において「１枚戻る」が選択されていない場合、処理をＳ７１１に進める。
【００６７】
Ｓ７０９において制御部１２３は、操作部１２４における操作により「１枚戻る」が確定されたかを判定し、「１枚戻る」が確定された場合、Ｓ７０１０に処理を進めて後述する「１枚戻る」処理を実行する。このとき制御部１２３は、多重露出撮影を継続可能にするためにＳ４０８において設定された撮影の禁止を解除する。一方、操作部１２４における他の操作により「１枚戻る」が確定しない場合、処理をＳ７１１に進める。「１枚戻る」が確定された場合、クイックレビュー表示の一連の処理を終了する。なお、「１枚戻る」処理の詳細は後述する。
【００６８】
Ｓ７１１において制御部１２３は、操作部１２４の状態から「保存して終了」が選択されているかを確認する。「保存して終了」が選択された場合、Ｓ７１２において映像信号処理部１１６は、制御部１２３の指示によりバッファメモリ１２２上の多重圧縮データを読み出し、表示部１１８に表示する。このときの表示部１１８の表示例が図８（ｃ）である。一方、「保存して終了」が選択されなかった場合、Ｓ７１５に処理を進める。
【００６９】
Ｓ７１３において制御部１２３は、操作部１２４の操作により「保存して終了」が確定したか否かを判定し、操作部１２４の操作により確定されたと判定した場合は、Ｓ７１４に処理を進めて「保存して終了」処理を実行する。一方、操作部１２４に対する他の操作により「保存して終了」が確定しなかった場合、Ｓ７１５に処理を進める。
【００７０】
Ｓ７１４において制御部１２３は、「保存して終了」処理を実行する。「保存して終了」処理の詳細は後述するが、当該処理を完了するとクイックレビュー表示の一連の処理を終了する。さらに、制御部１２３は、クイックレビュー表示の完了後に多重露出撮影機能を終了して「通常撮影」状態に戻すため、多重露出撮影機能を終了させるための識別子を有効にしてメモリ１２０に記憶させ、一連の処理を終了する。
【００７１】
Ｓ７１５において制御部１２３は、操作部１２４の状態を確認し、「保存しないで終了」が選択されているかを判定し、「保存しないで終了」が選択されたと判定した場合、Ｓ７１６に処理を進める。そして、Ｓ７１６において映像信号処理部１１６は、制御部１２３の指示に応じてバッファメモリ１２２上の多重圧縮データを読み出し、表示部１１８に表示する。このときの表示部１１８の表示例が図８（ｄ）である。
【００７２】
Ｓ７１７において制御部１２３は、「保存しないで終了」が確定されたかを判定し、確定されたと判定した場合、Ｓ７１８に処理を進めて後述する「保存しないで終了」処理を実行する。制御部１２３は、当該処理を完了するとクイックレビュー表示の一連の処理を終了する。このとき制御部１２３は、Ｓ７１４と同様に、クイックレビュー表示の完了後に多重露出撮影機能を終了して「通常撮影」状態に戻すため、多重露出撮影機能を終了させるための識別子を有効にしてメモリ１２０に記憶させ、一連の処理を終了する。一方、「保存しないで終了」が確定されなかったと判定した場合、Ｓ７０３に処理を戻して再度「前の画面に戻る」が選択されているかを確認する。
【００７３】
（「１枚戻る」処理の一連の動作）
次に、Ｓ７１０の「１枚戻る」処理の一連の動作を図９のフローチャートを参照して説明する。図７に示したＳ７１０が実行されると本処理が開始される。
【００７４】
Ｓ９０１において制御部１２３は、書き込み済みファイル情報に読み込んで、記載されている直近の画像データを検索し、映像信号処理部を制御して該当する画像データを、バッファメモリ１２２とメモリ１２０から削除する。
【００７５】
Ｓ９０２において制御部１２３は、書き込み済みファイル情報を更新して、バッファメモリ１２２とメモリ１２０上の残存する画像データと対応をとる。
【００７６】
Ｓ９０３において制御部１２３は、多重露出撮影の完了枚数が０か否かを判定する。多重露出撮影の完了枚数が０でない場合、Ｓ９０４に処理を進めてバッファメモリ１２２上の現像データ、多重現像データ、前回撮影時多重圧縮データを破棄し、Ｓ９０５に処理を進める。
【００７７】
一方、多重露出撮影の完了枚数が０の場合、Ｓ９０６に処理を進めてバッファメモリ１２２上の現像データを破棄し、さらにＳ９０５に処理を進める。このとき、バッファメモリ１２２上には画像データが存在しなくなるが、多重露出撮影機能は終了させない。これにより多重露出撮影機能のメニュー設定を再度行うことなく、撮影画像だけをすべて消去した状態から多重露出撮影を継続できる。例えば、３枚撮影した後に「１枚戻る」処理を実行した場合の、バッファメモリ１２２の変化を図６（ｂ）に示す。３枚の撮影により、それぞれ１枚目に撮影した画像信号Ａ、２枚目に撮影した画像信号Ｂ、３枚目に撮影した画像信号Ｃが撮像センサから映像信号処理部１１６に入力される。そして、３枚の多重露出撮影が行われると、現像データＣ、高精度データＡ＋Ｂ、多重現状データＡ＋Ｂ+Ｃ、多重圧縮データＡ＋Ｂ+Ｃ、２枚目の撮影時に得られる多重圧縮データＡ＋Ｂがバッファメモリ１２２上に配置されている。この状態において、「１枚戻る」処理が実行されると、現像データＣ、多重現像データＡ＋Ｂ＋Ｃ、前回撮影多重圧縮データＡ＋Ｂがバッファメモリ１２２から破棄される。バッファメモリ１２２には、高精度データＡ＋Ｂが残っているため、３枚目の再撮影を行っても、前回までの多重露出撮影結果を継続して多重露出撮影を行うことができる。また、多重圧縮データＡ＋Ｂがバッファメモリ１２２上に残っているため、３枚目の再撮影後に、前回撮影時の多重圧縮データＡ＋Ｂとして保持され、再度「１枚戻る」処理を実行することができる。
【００７８】
Ｓ９０５において制御部１２３は、多重露出撮影の完了枚数を１減らす。また、多重露出撮影機能を終了するための識別子が有効になっている場合は、無効に変更する。そして、「１枚戻る」処理に係る一連の処理を終了して、Ｓ７１０に処理を戻す。このような「１枚戻る」処理が行われた場合には、既に多重露出撮影完了枚数の撮影が終わっていた場合でも、多重露出撮影完了枚数が減るため、撮影Ｓ４０１の処理に戻り、再び多重露出撮影を行って、多重合成する画像を撮影することになる。
【００７９】
（「保存して終了」処理に係る一連の動作）
次に、図７におけるＳ７１４の「保存して終了」処理に係る一連の動作を図１０のフローチャートを参照して説明する。
【００８０】
図７におけるＳ７１４の「保存して終了」処理が実行されると本処理が開始される。
【００８１】
Ｓ１００１において制御部１２３は、多重露出撮影の完了枚数が１枚以上かの判定を行い、１以上であるときはＳ１００２に処理を進め、０であるときはＳ１００４に処理を進める。
【００８２】
Ｓ１００２において映像信号処理部１１６は、制御部１２３の指示により多重現像データから圧縮データを生成し、一方でＳ１００４において、現像データから圧縮データを生成する。その後、Ｓ１００３において映像信号処理部１１６は、生成したデータをメモリ１２０に保存する。制御部１２３は、生成したデータのメモリ１２０への保存が完了するとＳ１００５に処理を進める。
【００８３】
Ｓ１００５において制御部１２３は、多重露出撮影の予定枚数をリセットすると、Ｓ１００６において項目Ｇ２０１の設定値を多重露出「しない」に変更し、「保存して終了」に係る一連の処理を終了する。
【００８４】
（「保存しないで終了」処理に係る一連の動作）
次に、図７に示したＳ７１８における「保存しないで終了」処理に係る一連の動作を図１１のフローチャートを参照して説明する。本処理は、Ｓ７１８が実行されると開始される。
【００８５】
Ｓ１１０１において制御部１２３は、書き込み済みファイル情報を参照して高精度データおよび圧縮データのファイルが存在する場合はＳ１１０２およびＳ１１０３の処理を繰り返す。そして、書き込み済みのファイル情報に高精度データおよび圧縮データのファイルがなくなったと判定したときは、Ｓ１１０５に処理を進める。
【００８６】
Ｓ１１０２において映像信号処理部１１６は、制御部１２３の指示に応じて、書き込み済みファイル情報に記載された高精度データおよび圧縮データをバッファメモリ１２２とメモリ１２０から削除する。
【００８７】
Ｓ１１０３において制御部１２３は、書き込み済みファイル情報を更新し、Ｓ１１０４においてＳ１１０１に処理を戻す。上記の処理は、残存した高精度データと圧縮データがなくなるまで繰り返し実行される。
【００８８】
Ｓ１１０５において制御部１２３は、高精度データと圧縮データの削除が完了すると、多重現像データを削除し、Ｓ１２０６において、デジタルカメラ１００の設定状態を「通常撮影」状態に戻すために多重露出撮影の予定枚数を０に戻す。
【００８９】
さらに、Ｓ１１０７において制御部１２３は、最後にＧ２０１の設定値を多重露出「しない」に変更して、「保存しないで終了」処理の一連の処理を終了して図７に示したＳ７１８に処理を戻す。
【００９０】
以上説明したように本実施形態では、多重露出撮影の予定枚数と完了枚数の比較により最終画像であった場合、その旨をユーザに通知してクイックレビュー表示を行うようにした。このことで、最後画像の撮影に失敗した場合に、多重露出撮影が終了してしまうことを防げるため、多重露出撮影を行うモードが自動的に解除される場合であっても、ユーザが多重露出撮影の結果得られる画像を確認、またはその撮影のやり直しが可能となる。また、多重露出撮影が最終画像である場合、クイックレビュー表示をするか否かの設定に関わらずクイックレビュー表示を行うようにした。これにより最後の画像の撮影に失敗した場合に、多重露出撮影が終了してしまうことを防ぐことができる。さらに、クイックレビュー表示において「１枚戻る」操作を行えるようにした。このことで、最終画像の撮影に失敗した場合であっても多重露出撮影をやり直すことができ、失敗した写真を含む合成画像が生成されて多重露出撮影が終了してしまうことを防ぐことが可能になる。また、クイックレビュー表示後は、自動で多重露出撮影の設定が解除されて以降の撮影では通常撮影を行うことができるため、ユーザが多重露出撮影の予定枚数の撮影後にスムーズに次の撮影に移行できる。
【００９１】
（実施形態２）
次に実施形態２について説明する。実施形態１では、撮影が行われた際に多重露出撮影の完了枚数が予定枚数と一致すると、直後にクイックレビュー表示を行ったが、実施形態２では、直ちにクイックレビュー表示を行わずにユーザ入力を待つ点が異なる。本実施形態のデジタルカメラ１００の構成は、上記を除き実施形態１の構成と同一の構成であるため、重複する説明は省略して相違点を重点的に説明する。
【００９２】
本実施形態に係る多重露出撮影機能の一連の動作を、図１２を参照して説明する。図４と共通する処理について同一の参照番号を付して説明を省略する。
【００９３】
Ｓ１２０１において制御部１２３は、多重露出撮影の予定枚数の撮影を完了し、撮影が禁止されている旨をユーザに通知する。具体的には予め定められた通知用のメッセージを表示駆動部を介して表示部１１８に表示させる。このメッセージは、ユーザに対して予定枚数の撮影の完了を通知するものであれば、表示部１１８に文言やアイコンを表示するものであってもよいし、所定のＬＥＤを点灯させるものであってもよい。
【００９４】
Ｓ１２０２において制御部１２３は、ユーザによる表示指示を待つため、操作部１２４からの通知を判定する。操作指示は操作部１２４の再生ボタンを押下することにより指示される。ユーザによる表示指示があったと判定したときは、Ｓ４１０に処理を進めてクイックレビュー表示を実行し、表示指示がないと判定したときは、再びＳ１３０２に処理を進めてユーザからの操作指示を待つ。
【００９５】
Ｓ４１０においてクイックレビュー表示が実行されると、実施形態１において上述した表示が行われ、ユーザの操作に応じて多重露出撮影機能の一連の動作が終了する。
【００９６】
以上説明したように、本実施形態によれば、撮影された画像が多重露出撮影の予定枚数である場合、直ちにクイックレビュー表示を実行せずにユーザに対して通知を行い、クイックレビュー表示を開始するためのユーザ指示を受けるようにした。このことで、最終画像の撮影完了時に合成画像を表示させたくないタイミングがある場合に、不用意なタイミングで合成画像が表示されることがなくなり、ユーザの意図したタイミングでクイックレビュー表示を行うことが可能になる。
【００９７】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００９８】
１１２…撮像センサ、１１６…映像信号処理部、１１８…表示部、１２３…制御部、１２４…操作部
【図１】
0006335056.tif 000002
【図２】
0006335056.tif 000003
【図３】
0006335056.tif 000004
【図４】
0006335056.tif 000005
【図５】
0006335056.tif 000006
【図６】
0006335056.tif 000007
【図７】
0006335056.tif 000008
【図８】
0006335056.tif 000009
【図９】
0006335056.tif 000010
【図１０】
0006335056.tif 000011
【図１１】
0006335056.tif 000012
【図１２】
0006335056.tif 000013